(57)【要約】【課題】地図画面のスクロール中に、市区町村名や地名など特定種別の文字列を容易に発見することができるナビゲーション装置を提供する。【解決手段】制御回路１１は、表示モニタ１６へ市区町村や施設などの名称を表す文字列を含む道路地図を表示する。地図のスクロールが開始されると、表示制御テーブルおよび強調テーブルに基づいて、所定のジャンルに属する文字列が強調表示される。縮尺の変化に応じて、表示される文字列ならびに強調表示の有無が変更される。スクロール速度が変化すると、強調表示の度合いが変化する。【選択図】図１
2009288119.tif 000002
【特許請求の範囲】
【請求項１】
複数のジャンルのいずれかに属する地図構成要素を含む地図情報を表示する地図表示手段と、
前記地図表示手段に表示される前記地図をスクロールするスクロール手段と、
前記ジャンルに対応して、前記地図構成要素の強調表示を行うかどうかを示す情報を記録する記録手段と、
前記地図のスクロール時に、前記記録手段により予め記録された情報に基づいて、前記地図構成要素を強調表示する強調表示手段と、
を備えることを特徴とするナビゲーション装置。
【請求項２】
請求項１に記載のナビゲーション装置において、
前記強調表示手段は、前記地図構成要素の周囲に枠線を表示する、
ことを特徴とするナビゲーション装置。
【請求項３】
請求項１に記載のナビゲーション装置において、
前記強調表示手段は、前記地図構成要素を所定の倍率で拡大表示する、
ことを特徴とするナビゲーション装置。
【請求項４】
請求項１に記載のナビゲーション装置において、
前記強調表示手段は、前記地図構成要素を点滅表示する、
ことを特徴とするナビゲーション装置。
【請求項５】
請求項１〜４のいずれか一項に記載のナビゲーション装置において、
前記情報は、前記地図の縮尺ごとに記録されており、
前記強調表示手段は、前記情報に基づいて、前記地図構成要素を強調表示する、
ことを特徴とするナビゲーション装置。
【請求項６】
請求項１〜５のいずれか一項に記載のナビゲーション装置において、
前記強調表示手段は、案内経路から所定距離内に存在する前記地図構成要素のみを強調表示する、
ことを特徴とするナビゲーション装置。
【請求項７】
請求項１〜６のいずれか一項に記載のナビゲーション装置において、
前記強調表示手段は、前記地図のスクロール速度に応じて、前記地図構成要素の強調表示を変化させる、
ことを特徴とするナビゲーション装置。
【請求項８】
地図構成要素を含む地図情報を表示する地図表示手段と、
前記地図表示手段に表示される前記地図をスクロールするスクロール手段と、
前記地図のスクロール時に、前記地図構成要素を強調表示する強調表示手段とを備え、
前記強調表示手段は、前記地図のスクロール速度に応じて、前記地図構成要素の強調表示を変化させる、
ことを特徴とするナビゲーション装置。
【発明の詳細な説明】
【技術分野】
【０００１】
本発明は、地図表示を行うナビゲーション装置に関する。
【背景技術】
【０００２】
表示装置に道路地図を表示して経路案内を行うナビゲーション装置では、地図に含まれる行政界や施設、地名などについて、その名称を表す文字列が、地図に重なる形で表示される。上記のようなナビゲーション装置では、ユーザが入力装置から指示を与えることで、地図をスクロールさせることができる。前述の文字列をスクロール中でも読みやすくするため、スクロール中には地図上の全文字列を拡大するナビゲーション装置が公知である（特許文献１）。
【０００３】
【特許文献１】特開２００３−１７２６２３号公報
【発明の開示】
【発明が解決しようとする課題】
【０００４】
従来の地図表示装置では、スクロール時に全ての文字列が拡大表示されてしまう。そのため、スクロール中に文字列を読むことは容易になるが、ある文字列がユーザの探している場所を示す文字列かどうかを一目で判断することはできない。
【課題を解決するための手段】
【０００５】
請求項１に係る本発明は、複数のジャンルのいずれかに属する地図構成要素を含む地図情報を表示する地図表示手段と、前記地図表示手段に表示される前記地図をスクロールするスクロール手段と、前記ジャンルに対応して、前記地図構成要素の強調表示を行うかどうかを示す情報を記録する記録手段と、前記地図のスクロール時に、前記記録手段により予め記録された情報に基づいて、前記地図構成要素を強調表示する強調表示手段と、を備えるナビゲーション装置である。
請求項２に係る本発明は、請求項１に記載のナビゲーション装置において、前記強調表示手段は、前記地図構成要素の周囲に枠線を表示する。
請求項３に係る本発明は、請求項１に記載のナビゲーション装置において、前記強調表示手段は、前記地図構成要素を所定の倍率で拡大表示する。
請求項４に係る本発明は、請求項１に記載のナビゲーション装置において、前記強調表示手段は、前記地図構成要素を点滅表示する。
請求項５に係る本発明は、請求項１〜４のいずれか一項に記載のナビゲーション装置において、前記情報には、前記地図の縮尺ごとに記録されており、前記強調表示手段は、前記情報に基づいて、前記地図構成要素を強調表示する。
請求項６に係る本発明は、請求項１〜５のいずれか一項に記載のナビゲーション装置において、前記強調表示手段は、案内経路から所定距離内に存在する前記地図構成要素のみを強調表示する。
請求項７に係る本発明は、請求項１〜６のいずれか一項に記載のナビゲーション装置において、前記強調表示手段は、前記地図のスクロール速度に応じて、前記地図構成要素の強調表示を変化させる。
請求項８に係る本発明は、地図構成要素を含む地図情報を表示する地図表示手段と、前記地図表示手段に表示される前記地図をスクロールするスクロール手段と、前記地図のスクロール時に、前記地図構成要素を強調表示する強調表示手段とを備え、前記強調表示手段は、前記地図のスクロール速度に応じて、前記地図構成要素の強調表示を変化させるナビゲーション装置である。
【発明の効果】
【０００６】
本発明によれば、地図のスクロールを行う際に、あらかじめユーザが選択したジャンルに属する表示項目のみが、スクロール速度および縮尺に応じて強調表示されるようにした。したがって、ユーザは、スクロール中に目的の場所を容易に認識できる。
【発明を実施するための最良の形態】
【０００７】
――第１の実施の形態――
図１は、本実施形態におけるナビゲーション装置の全体構成を示すブロック図である。
【０００８】
ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル２０およびディスクドライブ２１を有している。ディスクドライブ２１には、地図データが記憶されたＤＶＤ−ＲＯＭ２２が装填されている。
【０００９】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ２２に記憶された地図データに基づいて所定の経路探索処理を行うと、その処理結果が推奨経路として表示モニタ１６に表示される。
【００１０】
現在地検出装置１４は車両の現在地を検出する装置である。現在地装置１４は、振動ジャイロ１４ａ、車速センサ１４ｂ、ＧＰＳ（Ｇｌｏｂａｌ  Ｐｏｓｉｔｉｏｎｉｎｇ  Ｓｙｓｔｅｍ）センサ１４ｃなどからなる。振動ジャイロ１４ａは車両の進行方向を検出し、車速センサ１４ｂは車速を検出し、ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定するとともに、地図上にその現在地を表示する。
【００１１】
画像メモリ１５は、表示モニタ１６に表示するための画像データを格納する。この画像データは道路地図描画用データや各種の図形データからなり、それらはＤＶＤ−ＲＯＭ２２に記憶された地図データに基づいて、適宜生成される。ナビゲーション装置１は、このようにして生成された画像データを用いることによって地図表示などを行うことができる。
【００１２】
ディスクドライブ２１は、ＤＶＤ−ＲＯＭ２２から地図データを読み出す。地図データは、地図表示用データ、経路探索用データなどを含む。地図表示用データおよび経路探索用データには、地図データに格納されている道路のリンク情報およびノード情報が含まれている。リンク情報には、各リンクの旅行時間（以下、リンク旅行時間）および標高の情報が含まれている。地図表示用データは、広域から詳細まで複数の縮尺の地図データを有し、ユーザの要求にしたがって、表示地図の縮尺を変更することができる。なお、ＤＶＤ−ＲＯＭ２２以外の他の記録メディア、たとえばＣＤ−ＲＯＭやハードディスクなどより地図データを読み出してもよい。
【００１３】
表示モニタ１６は、地図データなどの各種情報に基づいて、自車位置付近の道路地図などの各種情報を画面表示としてユーザに提供する。スピーカ１７は、各種入力操作をユーザに指示したり、経路誘導したりするための音声を出力する。入力装置１８は、ユーザが各種コマンドを設定するための入力スイッチを有し、操作パネルやリモコンなどによって実現される。ユーザは、表示モニタ１６の表示画面の指示やスピーカ１７からの音声指示にしたがって入力装置１８を操作することにより、目的地を設定する。
【００１４】
タッチパネル２０は、表示モニタ１６の表面に積層される透明のタッチスイッチであり、表示モニタ１６に表示される画像はタッチパネル２０を通して表示される。タッチパネル２０は、タッチパネル２０上の操作位置に応じた信号をタッチパネルコントロール部１９に送出する。そして、タッチパネルコントロール部１９はタッチパネル２０の押圧位置を算出する。
【００１５】
表示モニタ１６の表示画面を押圧するとタッチパネル２０が押圧される。そして、押圧した位置に目的地が設定されたり、押圧された各種ボタンや表示メニューに定義された処理が実行されたりする。
【００１６】
データ記憶部２３は不揮発性の記憶装置であり、ナビゲーション装置１の電源断が行われても記憶内容は維持される。データ記憶部２３には、ナビゲーション装置１の各種設定やテーブルが記憶される。
【００１７】
目的地がユーザにより設定されると、ナビゲーション装置１はＧＰＳセンサ１４ｃにより検出された現在地を出発地として目的地までの経路演算を所定のアルゴリズムに基づいて行う。たとえば、出発地から目的地までの間の旅行時間（リンク旅行時間の合計）が最小になるような経路を演算するアルゴリズムで経路演算が行われる。このような経路演算を以下、経路探索と呼ぶ。このようにして求められた経路（以下、推奨経路という）は、表示形態、たとえば表示色などを変えることによって、ほかの道路とは区別して画面表示される。これにより、ユーザは地図上の推奨経路を画面上で認識することができる。ナビゲーション装置１は、推奨経路にしたがって車両が走行できるように、ユーザに対して画面や音声などによる進行方向指示を行い、車両を経路誘導する。
【００１８】
次に、ナビゲーション装置１における地図表示について、図を用いて説明する。図２は、本実施形態のナビゲーション装置１による、地図表示の例を示す図である。表示画面３０には道路地図が表示されている。また、市区町村名、地名、および施設名が、地図上に記載されている。市区町村名はその他の文字列よりも大きい字体で描画されている。以降の説明では、地図構成要素の一部である上記の文字列を「名称ラベル」と呼ぶ。また、「市区町村名」や「地名」などの、名称ラベルの種別を「ジャンル」と呼ぶ。
【００１９】
ユーザは、入力装置１８またはタッチパネル２０から所定の操作を行うことで、制御回路１１の制御により、地図を任意の方向へスクロールさせることができる。スクロールを所定の時間連続して行うと、スクロールの速度が速くなる。以降、所定時間が経過する度にスクロール速度は上昇する。スクロール速度はたとえば３段階となっており、最高速度に到達するとそれ以上早くなることはない。なお、スクロール速度はより多段階で変化させてもよい。
【００２０】
ユーザが地図のスクロールを開始すると、特定のジャンルに属する名称ラベルが強調表示される。具体的には、名称ラベルを指す矢印が表示されたり、名称ラベルが点滅したり、名称ラベルの色や大きさが変化したりする。どのような強調表示が為されるかは、スクロール速度の段階に応じて変化する。各々のスクロール速度の段階における強調表示の内容は、強調テーブル（後に詳述する）によってあらかじめ設定されている。また、強調表示するジャンルは、表示制御テーブル（後に詳述する）によって設定される。本実施形態におけるナビゲーション装置１は、ユーザへどのジャンルの名称ラベルを強調表示するかを設定する手段を提供する。ユーザが強調表示を行うジャンルを変更すると、表示制御テーブルへ変更が反映される。
【００２１】
図３は、地図のスクロールを開始した表示画面の例を示す図である。図３の例では、強調表示を行うジャンルとして市区町村名が指定されている。表示画面４０では、市区町村名を示す名称ラベル（４１，４２，４３，４４）が枠で囲まれ強調表示されている。また、上記以外の名称ラベルは、強調表示が行われていない。
【００２２】
ユーザは、表示画面に表示されている地図の縮尺を、入力装置１８またはタッチパネル２０から所定の操作を行うことで変更することができる。縮尺を変更すると、これまで表示されていた名称ラベルが表示されなくなったり、表示されていなかった名称ラベルが表示されたりする。各々の縮尺における名称ラベルの表示の有無は、表示制御テーブル（後に詳述する）によってジャンル別に設定されている。
【００２３】
なお、以上の説明において、表示される地図は全て２次元の平面地図としたが、これ以外の表示形態を持つ地図を強調表示の対象としてもよいことは勿論である。例えば、強調表示を行う地図が、施設などを立体表示する３次元地図であってもよい。
【００２４】
次に、本実施形態におけるナビゲーション装置１が備える各種テーブルについて説明する。以下で説明する各種テーブルは、すべてデータ記憶部２３に記録されている。図４は、表示制御テーブルのデータ構造を示す図である。表示制御テーブルには、各ジャンルに対する名称ラベルの表示有無、ならびに強調表示の有無が設定されている。表示の有無ならびに強調表示の有無は、縮尺別に設定されている。
【００２５】
例えば、図４の表示制御テーブルには、市区町村の名称ラベルが「縮尺１」のとき表示されないことが設定されている。縮尺が「縮尺２」および「縮尺３」のときには、市区町村の名称ラベルが表示されるよう設定されている。また、「縮尺２」および「縮尺３」のとき、市区町村の名称ラベルに対して強調表示が行われることが示されている。
【００２６】
図５は、強調テーブルのデータ構造を示す図である。強調テーブルには、スクロール速度の各段階における名称ラベルの強調表示方法が設定されている。図４に示した強調表示テーブルには、スクロール速度が「段階１」のとき、強調表示を行う名称ラベルの周囲には太さ１の枠が表示されるよう設定されている。また、スクロール速度が「段階２」になると、上記の枠が太さ２になることに加え、名称ラベルの文字サイズが１．５倍になるよう設定されている。
【００２７】
次に、スクロール時に名称ラベルを強調表示する処理の内容について説明する。図６は、スクロール時に名称ラベルを強調表示する処理を説明するためのフローチャートである。まずステップＳ１では、地図のスクロールを開始したか否かを判定する。地図のスクロールが開始された場合、ステップＳ１により肯定判定がなされ、ステップＳ２へ進む。他方、ステップＳ１において否定判定がなされた場合は、本処理を終了する。ステップＳ２では、現在の縮尺設定を取得する。
【００２８】
ステップＳ３では、表示制御テーブルから、未選択のジャンルを１つ選択する。ステップＳ４では、表示制御テーブルの、選択したジャンルが格納されている行から、現在の縮尺における表示の有無を取り出す。ステップＳ５では、ステップＳ４で取り出した結果を基に、選択したジャンルの名称ラベルを表示するか否かを判定する。選択したジャンルが現在の縮尺では表示されない場合、ステップＳ５により否定判定がなされ、ステップＳ１０へ進む。他方、ステップＳ５において肯定判定がなされた場合は、ステップＳ６へ進む。ステップＳ６では、ステップＳ４と同様に、表示制御テーブルの、選択したジャンルが格納されている行から、現在の縮尺における強調表示の有無を取り出す。ステップＳ７では、ステップＳ６で取り出した結果を基に、選択したジャンルの名称ラベルを強調して表示するか否かを判定する。選択したジャンルが現在の縮尺で強調表示される場合、ステップＳ７により肯定判定がなされ、ステップＳ８へ進む。ステップＳ８では、強調テーブルの内容に従い、選択したジャンルの名称ラベルを強調表示する。他方、ステップＳ７において否定判定がなされた場合は、ステップＳ９へ進む。ステップＳ９では、選択したジャンルの名称ラベルを通常の形態で表示する。
【００２９】
ステップＳ１０では、未選択のジャンルが存在するか否かを判定する。未選択のジャンルが残っていた場合、ステップＳ１０により肯定判定がなされ、ステップＳ３へ戻る。他方、ステップＳ１０において否定判定がなされた場合は、本処理を終了する。以上のようにして、各ジャンルの名称ラベルの表示を行う。
【００３０】
以上で説明したスクロール時の強調表示処理は、ナビゲーション装置１が地図を表示するあらゆる状況で実行される。すなわち、経路探索を行う前の、目的地を地図から探す段階においても実行されるし、経路案内中においても実行される。
【００３１】
上述した第１の実施の形態によるナビゲーション装置によれば、次の作用効果が得られる。
（１）地図のスクロールを行うと、所定のジャンルに属する名称ラベルが強調表示される。これにより、スクロール中であっても、所定のジャンルに属する名称ラベルを容易に読み取ることができる。
【００３２】
（２）地図のスクロール速度に応じて、名称ラベルの強調表示の度合いが変化する。これにより、高速なスクロールであっても、名称ラベルの読み取りやすさが減じない。
【００３３】
（３）強調表示が行われるジャンルは、ユーザが自由に設定することができる。これにより、ユーザにとって重要でない名称ラベルがことさら強調されることがなくなり、名称ラベルの視認性が向上する。
【００３４】
――第２の実施の形態――
上述した第１の実施の形態では、スクロール中に画面に表示される全ての名称ラベルについて、ジャンルに応じた強調表示を行っていた。しかし、経路案内中であれば、案内経路から遠く離れた場所については強調表示を行う必要がない。そこで、以下に詳述する第２の実施の形態では、経路案内中は案内経路周辺の名称ラベルのみを強調表示する。
【００３５】
本実施の形態におけるナビゲーション装置は、経路案内中の、強調表示を伴う名称ラベルの表示の際（ステップＳ８）、各名称ラベルが示す地点が、案内経路から所定の距離内にあるかどうかを判定する。案内経路から所定の距離内であれば、その名称ラベルについて強調表示を行う。他方、案内経路から所定の距離よりも大きく離れていれば、その名称ラベルについては通常通りの表示を行う。
【００３６】
上述した第２の実施の形態によるナビゲーション装置によれば、第１の実施の形態によるナビゲーション装置で得られる作用効果に加えて、次の作用効果が得られる。経路案内中は、あらかじめ指定したジャンルのうち、案内経路周辺の名称ラベルのみが強調表示される。これにより、案内中の経路とは無関係な名称ラベルが強調表示されず、スクロール中における名称ラベルの視認性がより向上する。
【００３７】
次のような変形も本発明の範囲内である。
（１）名称ラベルだけではなく、道路地図に含まれる地図構成要素のいずれを強調表示してもよい。例えば、施設などを示すアイコンを強調表示させてもよい。
（２）スクロール速度が所定速度以下のときには、強調表示を行わないようにしてもよい。
（３）強調表示の有無を決定するための「ジャンル」は、より細分化してもよい。例えば、「施設」を１つのジャンルとするのではなく、「ガソリンスタンド」や「コンビニエンスストア」などの施設の分類を個別のジャンルとして管理してもよい。
【００３８】
本発明の特徴を損なわない限り、本発明は上記実施の形態に限定されるものではなく、本発明の技術的思想の範囲内で考えられるその他の形態についても、本発明の範囲内に含まれる。
【００３９】
なお、以上説明した実施の形態におけるナビゲーション装置の各構成要素と特許請求の範囲の各構成要素との対応関係は以下の通りである。本発明の地図表示手段、スクロール手段および強調表示手段は制御回路１１に相当し、記録手段はデータ記憶部２３に相当する。
【００４０】
なお、以上の対応関係の説明は一例であり、権利解釈に際して何ら拘束されるものではない。
【図面の簡単な説明】
【００４１】
【図１】第１の実施の形態におけるナビゲーション装置の全体構成を示すブロック図である。
【図２】第１の実施の形態のナビゲーション装置による、地図表示の例を示す図である。
【図３】地図のスクロールを開始した表示画面の例を示す図である。
【図４】表示制御テーブルのデータ構造を示す図である。
【図５】強調テーブルのデータ構造を示す図である。
【図６】スクロール時に名称ラベルを強調表示する処理を説明するためのフローチャートである。
【符号の説明】
【００４２】
１  ナビゲーション装置
１１  制御回路
１６  表示モニタ
２３  データ記憶部
【図１】
2009288119.tif 000003
【図２】
2009288119.tif 000004
【図３】
2009288119.tif 000005
【図４】
2009288119.tif 000006
【図５】
2009288119.tif 000007
【図６】
2009288119.tif 000008